【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
記録媒体を収納する記録媒体供給トレイと、
前記記録媒体に画像を印刷するための印刷部と、
前記印刷部における印刷のための調整値を表裏毎に前記記録媒体供給トレイと対応づけて記憶する記憶部と、
前記記憶部に記憶されている前記表裏毎の調整値に応じて、前記印刷部における画像の印刷が前記表裏毎に調整されるよう前記印刷部を制御するための制御部と、
を有することを特徴とする画像形成装置。
【請求項２】
前記記録媒体供給トレイを複数有し、
前記記憶部は、前記調整値を前記複数の記録媒体供給トレイのうち少なくとも１つと対応づけて記憶することを特徴とする請求項１に記載の画像形成装置。
【請求項３】
複数の前記記録媒体供給トレイと、
前記調整値を前記記録媒体供給トレイとの対応付けを指示する指示手段と、
を有することを特徴とする請求項１に記載の画像形成装置。
【請求項４】
前記調整値を表す名称を付して前記記憶部に記憶させることを特徴とする請求項１〜３の何れか一項に記載の画像形成装置。
【請求項５】
前記制御部は、前記名称に基づいて前記調整値を読み出し、当該読み出された調整値に基づいて前記印刷部を制御することを特徴とする請求項４に記載の画像形成装置。
【請求項６】
表示手段を有し、
前記制御部は、所定の記録媒体供給トレイに対し、現在設定されている調整値を表す名称を、当該記録媒体供給トレイに関連付けて前記表示手段に表示するよう制御することを特徴とする請求項１に記載の画像形成装置。
【請求項７】
前記制御部は、前記名称を前記表示手段の基本操作画面中に表示するよう制御することを特徴とする請求項６に記載の画像形成装置。
【請求項８】
表示手段を有し、前記制御部は、前記調整値が前記記録媒体供給トレイと対応づけて前記記憶部に記憶されている場合に、前記調整値が記憶されていることを前記表示手段に表示させるよう制御することを特徴とする請求項１に記載の画像形成装置。
【請求項９】
前記記憶部は、複数の前記調整値を前記記録媒体供給トレイと対応づけて記憶することを特徴とする請求項１に記載の画像形成装置。
【請求項１０】
前記記憶部は、前記複数の調整値を含む調整値群に対して名称を付して記憶することを特徴とする請求項９に記載の画像形成装置。
【請求項１１】
前記制御部は、前記名称に基づいて前記調整値群を読み出し、当該読み出された調整値群に基づいて前記印刷部を制御することを特徴とする請求項１０に記載の画像形成装置。
【請求項１２】
表示手段を有し、
前記制御部は、所定の記録媒体給紙トレイに対して設定されている調整値群を表す名称を、当該記録媒体給紙トレイに関連付けて前記表示手段に表示すべく制御することを特徴とする請求項１０又は１１に記載の画像形成装置。
【請求項１３】
前記記憶部は、前記印刷部における前記記録媒体への印刷のための調整標準値と、前記記録媒体供給トレイに対応づけられた前記調整値と、を記憶し、
前記制御部は、前記印刷部で印刷される記録媒体が収納された記録媒体供給トレイに応じて、前記記憶部から前記調整値を選択し、当該選択された調整値と前記調整標準値とに基づいて前記印刷部を制御することを特徴とする請求項１に記載の画像形成装置。
【請求項１４】
前記調整標準値は、前記記録媒体の表裏毎に前記記憶部に記憶されていることを特徴とする請求項１３に記載の画像形成装置。
【請求項１５】
前記記憶部は、複数の調整標準値を含む調整標準値群を記憶することを特徴とする請求項１３又は１４に記載の画像形成装置。
【請求項１６】
前記記憶部は、複数の調整値を含む調整値群を記憶することを特徴とする請求項１〜１５の何れか一項に記載の画像形成装置。
【請求項１７】
前記制御部は、所定の記録媒体供給トレイに対し、現在設定されている調整値のうち少なくとも一つの調整値が変更されると、前記調整値の名称を前記表示手段に表示しないよう制御することを特徴とする請求項７に記載の画像形成装置。
【請求項１８】
前記制御部は、入力された指示に応じて、前記記憶部に記憶された前記調整値群を一括して消去することを特徴とする請求項１６に記載の画像形成装置。
【請求項１９】
前記記憶部は、前記調整値を用いて印刷調整を行うか否かを示すフラグ情報を記憶し、
前記制御部は、前記フラグ情報に基づいて前記調整値を用いて印刷調整を行うか否かを決定することを特徴とする請求項１〜１８の何れか一項に記載の画像形成装置。
【請求項２０】
前記制御部は、前記調整標準値の入力中には、前記調整値を用いた印刷調整を行わないように制御することを特徴とする請求項１３〜１５の何れか一項に記載の画像形成装置。
【請求項２１】
印刷用の記録媒体を収納する複数の記録媒体供給トレイと、
複数の調整標準値を含む調整標準値群と該調整標準値群の各調整標準値を変更するための複数の調整値を含む調整値群とを、前記記録媒体供給トレイに対応付けて記憶する記憶部と、
前記調整標準値群及び調整値群に基づいて当該調整標準値群及び調整値群に対応付けされた記録媒体供給トレイから供給される記録媒体に対する印刷調整を、該記録媒体の表裏毎に行うよう制御する制御部と、
を有し、
前記制御部は、前記調整値群を、該調整値群を表す名称を付して前記記憶部に記憶すると共に、該調整値群を該名称に基づいて読み出すこと、
を特徴とする画像形成装置。
【請求項２２】
前記制御部は、所定の記録媒体供給トレイに対して現在設定されている調整値群を表す名称を、当該記録媒体供給トレイに関連付けて基本操作画面中に表示するよう制御することを特徴とする請求項２１に記載の画像形成装置。
【請求項２３】
前記制御部は、所定の記録媒体供給トレイに対し現在適用されている前記調整値群の各調整値のうち、少なくとも一つの調整値が変更されると、当該調整値群の名称を前記基本操作画面中に表示しないよう制御することを特徴とする請求項２２に記載の画像形成装置。
【請求項２４】
印刷用の記録媒体を収納する複数の記録媒体供給トレイと、
複数の調整標準値を含む調整標準値群と該調整標準値群の各調整標準値を変更するための複数の調整値を含む調整値群とを、前記各記録媒体供給トレイに対応付けて記憶する記憶部と、
前記記憶された調整標準値群及び調整値群に基づき、当該調整標準値群及び調整値群に対応付けされた記録媒体供給トレイから供給される記録媒体に対する印刷調整を、該記録媒体の表裏毎に行うよう制御する制御部と、
を有し、
前記制御部は、所定の調整値群が前記複数の記録媒体供給トレイのうちの何れか一つに対応付けて前記記憶部に記憶されている場合には、この旨を示す情報を、当該記録媒体供給トレイに関連付けて、基本操作の指示入力を行う画面中に表示するよう制御することを特徴とする画像形成装置。
【請求項２５】
前記制御部は、入力された指示に応じて、所定の調整値群に含まれる全調整値を前記記憶部から一括して消去するよう制御することを特徴とする請求項２４に記載の画像形成装置。
【請求項２６】
前記記憶部は、前記調整値群を用いて印刷調整を行うか否かを前記制御部に指示するためのフラグ情報を更に記憶し、
前記制御部は、前記フラグ情報に基づいて前記調整値群を用いて印刷調整を行う、又は行わないよう制御することを特徴とする請求項２５に記載の画像形成装置。
【請求項２７】
前記制御部は、前記調整標準値群の入力中には、前記調整値群を用いた印刷調整を行わないよう制御することを特徴とする請求項２４〜２６の何れか一項に記載の画像形成装置。
【請求項２８】
前記記憶部は、不揮発メモリであることを特徴とする請求項１〜２７の何れか一項に記載の画像形成装置。
【請求項２９】
記録媒体を収納する記録媒体供給トレイと、前記記録媒体に画像を印刷するための印刷部と、前記印刷部における印刷のための調整値を表裏毎に前記記録媒体供給トレイと対応づけて記憶する記憶部と、を有し、前記調整値に基づいて当該調整値に対応付けされた記録媒体供給トレイから供給される記録媒体に対する印刷調整が該記録媒体の表裏毎に可能な画像形成装置を制御して画像形成を行うための画像形成方法であって、
前記記憶部に記憶されている前記表裏毎の調整値に応じて、前記印刷部における画像の印刷が前記表裏毎に調整されるよう前記印刷部を制御する工程を含むことを特徴とする画像形成方法。
【請求項３０】
印刷用の記録媒体を収納する複数の記録媒体供給トレイと、複数の調整標準値を含む調整標準値群と該調整標準値群の各印刷調整値を変更するための複数の調整値を含む調整値群とを前記記録媒体供給トレイに対応付けて記憶する記憶部と、を有し、前記調整標準値群及び調整値群に基づいて当該調整標準値群及び調整値群に対応付けされた記録媒体供給トレイから供給される記録媒体に対する印刷調整が該記録媒体の表裏毎に可能な画像形成装置を制御して画像形成を行うための画像形成方法であって、
前記調整値群を、該調整値群を表す名称を付して前記記憶部に記憶する工程と、
前記調整値群を前記名称に基づいて読み出す工程と、
を含むことを特徴とする画像形成方法。
【請求項３１】
印刷用の記録媒体を収納する複数の記録媒体供給トレイと、複数の調整標準値を含む調整標準値群と該調整標準値群の各調整標準値を変更するための複数の調整値を含む調整値群とを前記記録媒体供給トレイに対応付けて記憶する記憶部と、を有し、前記記憶された調整標準値群及び調整値群に基づき、当該調整標準値群及び調整値群に対応付けされた記録媒体供給トレイから供給される記録媒体に対する印刷調整が該記録媒体の表裏毎に可能な画像形成装置を制御して画像形成を行うための画像形成方法であって、
所定の調整値群が前記複数の記録媒体供給トレイのうちの何れか一つに対応付けて前記記憶部に記憶されている場合には、この旨を示す情報を、当該記録媒体供給トレイに関連付けて、基本操作の指示入力を行う画面中に表示する工程を含むことを特徴とする画像形成方法。
【手続補正２】
【補正対象書類名】明細書
【補正対象項目名】００１８
【補正方法】変更
【補正の内容】
【００１８】
更に、請求項９に記載の発明のように、請求項１に記載の発明において、
前記記憶部は、複数の前記調整値を前記記録媒体供給トレイと対応づけて記憶することが好ましい。
更に、請求項１０に記載の発明のように、請求項９に記載の発明において、
前記記憶部は、前記複数の調整値を含む調整値群に対して名称を付して記憶することが好ましい。
更に、請求項１１に記載の発明のように、請求項１０に記載の発明において、
前記制御部は、前記名称に基づいて前記調整値群を読み出し、当該読み出された調整値群に基づいて前記印刷部を制御することが好ましい。
更に、請求項１２に記載の発明のように、請求項１０又は１１に記載の発明において、
表示手段を有し、
前記制御部は、所定の記録媒体給紙トレイに対して設定されている調整値群を表す名称を、当該記録媒体給紙トレイに関連付けて前記表示手段に表示すべく制御することが好ましい。
【手続補正３】
【補正対象書類名】明細書
【補正対象項目名】００１９
【補正方法】変更
【補正の内容】
【００１９】
更に、請求項１３に記載の発明のように、請求項１に記載の発明において、
前記記憶部は、前記印刷部における前記記録媒体への印刷のための調整標準値と、前記記録媒体供給トレイに対応づけられた前記調整値と、を記憶し、
前記制御部は、前記印刷部で印刷される記録媒体が収納された記録媒体供給トレイに応じて、前記記憶部から前記調整値を選択し、当該選択された調整値と前記調整標準値とに基づいて前記印刷部を制御することが好ましい。
【手続補正４】
【補正対象書類名】明細書
【補正対象項目名】００２１
【補正方法】変更
【補正の内容】
【００２１】
更に、請求項１４に記載の発明のように、請求項１３に記載の発明において、
前記調整標準値は、前記記録媒体の表裏毎に前記記憶部に記憶されていることが好ましい。
【手続補正５】
【補正対象書類名】明細書
【補正対象項目名】００２２
【補正方法】変更
【補正の内容】
【００２２】
更に、請求項１５に記載の発明のように、請求項１３又は１４に記載の発明において、
前記記憶部は、複数の調整標準値を含む調整標準値群を記憶することが好ましい。
【手続補正６】
【補正対象書類名】明細書
【補正対象項目名】００２３
【補正方法】変更
【補正の内容】
【００２３】
更に、請求項１６に記載の発明のように、請求項１〜１５の何れか一項に記載の発明において、
前記記憶部は、複数の調整値を含む調整値群を記憶することが好ましい。
【手続補正７】
【補正対象書類名】明細書
【補正対象項目名】００２４
【補正方法】変更
【補正の内容】
【００２４】
更に、請求項１７に記載の発明のように、請求項７に記載の発明において、
前記制御部は、所定の記録媒体供給トレイに対し、現在設定されている調整値のうち少なくとも一つの調整値が変更されると、前記調整値の名称を前記表示手段に表示しないよう制御することが好ましい。
【手続補正８】
【補正対象書類名】明細書
【補正対象項目名】００２５
【補正方法】変更
【補正の内容】
【００２５】
更に、請求項１８に記載の発明のように、請求項１６に記載の発明において、
前記制御部は、入力された指示に応じて、前記記憶部に記憶された前記調整値群を一括して消去することが好ましい。
【手続補正９】
【補正対象書類名】明細書
【補正対象項目名】００２６
【補正方法】変更
【補正の内容】
【００２６】
更に、請求項１９に記載の発明のように、請求項１〜１８の何れか一項に記載の発明において、
前記記憶部は、前記調整値を用いて印刷調整を行うか否かを示すフラグ情報を記憶し、
前記制御部は、前記フラグ情報に基づいて前記調整値を用いて印刷調整を行うか否かを決定することが好ましい。
【手続補正１０】
【補正対象書類名】明細書
【補正対象項目名】００２７
【補正方法】変更
【補正の内容】
【００２７】
更に、請求項２０に記載の発明のように、請求項１３〜１５の何れか一項に記載の発明において、
前記制御部は、前記調整標準値の入力中には、前記調整値を用いた印刷調整を行わないように制御することが好ましい。
【手続補正１１】
【補正対象書類名】明細書
【補正対象項目名】００２８
【補正方法】変更
【補正の内容】
【００２８】
また、上記課題を解決するため、請求項２１に記載の発明は、
印刷用の記録媒体を収納する複数の記録媒体供給トレイと、
複数の調整標準値を含む調整標準値群と該調整標準値群の各調整標準値を変更するための複数の調整値を含む調整値群とを、前記記録媒体供給トレイに対応付けて記憶する記憶部と、
前記調整標準値群及び調整値群に基づいて当該調整標準値群及び調整値群に対応付けされた記録媒体供給トレイから供給される記録媒体に対する印刷調整を、該記録媒体の表裏毎に行うよう制御する制御部と、
を有し、
前記制御部は、前記調整値群を、該調整値群を表す名称を付して前記記憶部に記憶すると共に、該調整値群を該名称に基づいて読み出すことを特徴とする。
【手続補正１２】
【補正対象書類名】明細書
【補正対象項目名】００２９
【補正方法】変更
【補正の内容】
【００２９】
更に、請求項２２に記載の発明のように、請求項２１に記載の発明において、
前記制御部は、所定の記録媒体供給トレイに対して現在設定されている調整値群を表す名称を、当該記録媒体供給トレイに関連付けて基本操作画面中に表示するよう制御することが好ましい。
【手続補正１３】
【補正対象書類名】明細書
【補正対象項目名】００３０
【補正方法】変更
【補正の内容】
【００３０】
更に、請求項２３に記載の発明のように、請求項２２に記載の発明において、
前記制御部は、所定の記録媒体供給トレイに対し現在適用されている前記調整値群の各調整値のうち、少なくとも一つの調整値が変更されると、当該調整値群の名称を前記基本操作画面中に表示しないよう制御することが好ましい。
【手続補正１４】
【補正対象書類名】明細書
【補正対象項目名】００３１
【補正方法】変更
【補正の内容】
【００３１】
また、上記課題を解決するため、請求項２４に記載の発明は、
印刷用の記録媒体を収納する複数の記録媒体供給トレイと、
複数の調整標準値を含む調整標準値群と該調整標準値群の各調整標準値を変更するための複数の調整値を含む調整値群とを、前記各記録媒体供給トレイに対応付けて記憶する記憶部と、
前記記憶された調整標準値群及び調整値群に基づき、当該調整標準値群及び調整値群に対応付けされた記録媒体供給トレイから供給される記録媒体に対する印刷調整を、該記録媒体の表裏毎に行うよう制御する制御部と、
を有し、
前記制御部は、所定の調整値群が前記複数の記録媒体供給トレイのうちの何れか一つに対応付けて前記記憶部に記憶されている場合には、この旨を示す情報を、当該記録媒体供給トレイに関連付けて、基本操作の指示入力を行う画面中に表示するよう制御すること、
を特徴とする。
【手続補正１５】
【補正対象書類名】明細書
【補正対象項目名】００３２
【補正方法】変更
【補正の内容】
【００３２】
更に、請求項２５に記載の発明のように、請求項２４に記載の発明において、
前記制御部は、入力された指示に応じて、所定の調整値群に含まれる全調整値を前記記憶部から一括して消去するよう制御することが好ましい。
【手続補正１６】
【補正対象書類名】明細書
【補正対象項目名】００３３
【補正方法】変更
【補正の内容】
【００３３】
更に、請求項２６に記載の発明のように、請求項２５に記載の発明において、
前記記憶部は、前記調整値群を用いて印刷調整を行うか否かを前記制御部に指示するためのフラグ情報を更に記憶し、
前記制御部は、前記フラグ情報に基づいて前記調整値群を用いて印刷調整を行う、又は行わないよう制御することが好ましい。
【手続補正１７】
【補正対象書類名】明細書
【補正対象項目名】００３４
【補正方法】変更
【補正の内容】
【００３４】
更に、請求項２７に記載の発明のように、請求項２４〜２６の何れか一項に記載の発明において、
前記制御部は、前記調整標準値群の入力中には、前記調整値群を用いた印刷調整を行わないよう制御することが好ましい。
【手続補正１８】
【補正対象書類名】明細書
【補正対象項目名】００３５
【補正方法】変更
【補正の内容】
【００３５】
更に、請求項２８に記載の発明のように、請求項１〜２７の何れか一項に記載の発明において、
前記記憶部は、不揮発メモリであることが好ましい。
【手続補正１９】
【補正対象書類名】明細書
【補正対象項目名】００３６
【補正方法】変更
【補正の内容】
【００３６】
また、上記課題を解決するため、請求項２９に記載の発明は、
記録媒体を収納する記録媒体供給トレイと、前記記録媒体に画像を印刷するための印刷部と、前記印刷部における印刷のための調整値を表裏毎に前記記録媒体供給トレイと対応づけて記憶する記憶部と、を有し、前記調整値に基づいて当該調整値に対応付けされた記録媒体供給トレイから供給される記録媒体に対する印刷調整が該記録媒体の表裏毎に可能な画像形成装置を制御して画像形成を行うための画像形成方法であって、
前記記憶部に記憶されている前記表裏毎の調整値に応じて、前記印刷部における画像の印刷が前記表裏毎に調整されるよう前記印刷部を制御する工程を含むことを特徴とする。
【手続補正２０】
【補正対象書類名】明細書
【補正対象項目名】００５９
【補正方法】変更
【補正の内容】
【００５９】
また、上記課題を解決するため、請求項３０に記載の発明は、
印刷用の記録媒体を収納する複数の記録媒体供給トレイと、複数の調整標準値を含む調整標準値群と該調整標準値群の各印刷調整値を変更するための複数の調整値を含む調整値群とを前記記録媒体供給トレイに対応付けて記憶する記憶部と、を有し、前記調整標準値群及び調整値群に基づいて当該調整標準値群及び調整値群に対応付けされた記録媒体供給トレイから供給される記録媒体に対する印刷調整が該記録媒体の表裏毎に可能な画像形成装置を制御して画像形成を行うための画像形成方法であって、
前記調整値群を、該調整値群を表す名称を付して前記記憶部に記憶する工程と、
前記調整値群を前記名称に基づいて読み出す工程と、
を含むことを特徴とする。
【手続補正２１】
【補正対象書類名】明細書
【補正対象項目名】００６２
【補正方法】変更
【補正の内容】
【００６２】
また、上記課題を解決するため、請求項３１に記載の発明は、
印刷用の記録媒体を収納する複数の記録媒体供給トレイと、複数の調整標準値を含む調整標準値群と該調整標準値群の各調整標準値を変更するための複数の調整値を含む調整値群とを前記記録媒体供給トレイに対応付けて記憶する記憶部と、を有し、前記記憶された調整標準値群及び調整値群に基づき、当該調整標準値群及び調整値群に対応付けされた記録媒体供給トレイから供給される記録媒体に対する印刷調整が該記録媒体の表裏毎に可能な画像形成装置を制御して画像形成を行うための画像形成方法であって、
所定の調整値群が前記複数の記録媒体供給トレイのうちの何れか一つに対応付けて前記記憶部に記憶されている場合には、この旨を示す情報を、当該記録媒体供給トレイに関連付けて、基本操作の指示入力を行う画面中に表示する工程を含むことを特徴とする。
【手続補正２２】
【補正対象書類名】明細書
【補正対象項目名】００７１
【補正方法】変更
【補正の内容】
【００７１】
請求項１、２９の発明によれば、記録媒体供給トレイと対応づけて記憶された両面印刷時の表裏毎の調整値に応じて、記録媒体の表裏毎に印刷調整を行う。このことにより、記録媒体供給トレイ毎にまとめて印刷調整することが可能であるため、プリント処理毎に調整値を入力することを抑制でき、印刷調整を効率的に行うことが可能であり、高品質な印刷画像を容易に得ることができる。
【手続補正２３】
【補正対象書類名】明細書
【補正対象項目名】００８５
【補正方法】変更
【補正の内容】
【００８５】
請求項１３の発明によれば、調整標準値と記録媒体供給トレイに対応づけられた調整値とを記憶し、印刷される記録媒体が収納された記録媒体供給トレイに応じて、記憶された調整値を選択し、当該選択された調整値と調整標準値とに基づいて印刷調整を行う。このことにより、調整標準値に対する微調整を、調整値を用いて記録媒体供給トレイ毎にまとめて行うことが可能であるため、印刷調整をより効率的に行うことが可能であり、高品質な印刷画像を容易に得ることができる。
【手続補正２４】
【補正対象書類名】明細書
【補正対象項目名】００８７
【補正方法】変更
【補正の内容】
【００８７】
請求項１４の発明によれば、記録媒体の表裏毎に調整標準値が記憶されている、このことにより、印刷を行う記録媒体の表裏毎に、調整標準値に基づいた印刷調整を行うことが可能である。
【手続補正２５】
【補正対象書類名】明細書
【補正対象項目名】００８８
【補正方法】変更
【補正の内容】
【００８８】
請求項１５の発明によれば、複数の調整標準値を含む調整標準値群を記憶する。このことにより、記録媒体供給トレイ毎に調整値群単位でまとめて設定することが可能であるため、印刷調整を効率的に行うことが可能である。
【手続補正２６】
【補正対象書類名】明細書
【補正対象項目名】００８９
【補正方法】変更
【補正の内容】
【００８９】
請求項１６の発明によれば、複数の調整値を含む調整値群を記憶する。このことにより、記録媒体供給トレイ毎に調整値群単位でまとめて設定することが可能であるため、印刷調整を効率的に行うことが可能である。
【手続補正２７】
【補正対象書類名】明細書
【補正対象項目名】００９０
【補正方法】変更
【補正の内容】
【００９０】
請求項１７の発明によれば、記録媒体供給トレイに対し、現在設定されている調整値のうち少なくとも一つの調整値が変更されると、当該変更された調整値の名称を表示手段に表示しないよう制御する。このことにより、ユーザは調整値が変更されたことを容易に確認することが可能となり、適切な調整値の設定又は指定が非常に行いやすくなる等、調整値の取り扱いが極めて容易になる。
【手続補正２８】
【補正対象書類名】明細書
【補正対象項目名】００９１
【補正方法】変更
【補正の内容】
【００９１】
請求項１８の発明によれば、入力された指示に応じて、記憶部に記憶された調整値群を一括して消去することが可能である。このことにより、記録媒体供給トレイ毎に設定された調整値群に含まれる全調整値を一括してクリア（消去）できるので、便利である。
【手続補正２９】
【補正対象書類名】明細書
【補正対象項目名】００９２
【補正方法】変更
【補正の内容】
【００９２】
請求項１９の発明によれば、現在有効な調整値群を、消去せずに保持したまま無効にできるので、調整標準値群のみ用いるようなユーザに対しても、調整値群の入力／消去をいちいち行うことなく対応可能となる。
【手続補正３０】
【補正対象書類名】明細書
【補正対象項目名】００９３
【補正方法】変更
【補正の内容】
【００９３】
請求項２０の発明によれば、調整標準値の入力中には、調整値を用いた印刷調整を行わないよう制御するため、例えば、サービスマンが調整標準値群を再入力するような場合においても、現在有効な調整値群をいちいち無効にしたり、記憶部から消去したりする必要がなく、調整値群が自動的に無効に設定されるので、当該調整値群を記憶したまま調整標準値群の再入力が行え、サービスマンの作業効率の向上を図ることができる。
【手続補正３１】
【補正対象書類名】明細書
【補正対象項目名】００９４
【補正方法】変更
【補正の内容】
【００９４】
請求項２１、３０の発明によれば、調整標準値群に対する調整値群が名称を付して記憶され、当該名称によって調整値群が管理されるので、名称を指定するだけで、種々の紙種に応じた複数の調整値群が容易且つ迅速に利用可能となり、操作性の向上が図られる。これにより、簡単な操作で、調整値を用いた詳細な印刷調整が行えるので高品質な印刷画像を容易に得ることができる。
更に、記録媒体供給トレイ毎に調整値群をまとめて設定することができるので、印刷調整を効率的に行うことが可能である。
更に、調整値群の読み出しは、それぞれの名称を指定することにより行われるので、このような名称に紙種等を示すものを用いれば、調整値群の内容がユーザにとって容易に確認可能となり、調整値群の指定が非常に行いやすくなる等、調整値群の取り扱いが極めて容易になる。
更に、プリント処理毎にいちいち印刷調整値を設定し直す必要がなくなり、印刷調整を頻繁に行うことにより生じ得る設定ミス等の不足の事態が回避可能になる。
更に、以前用いられていた種類の印刷用紙を再度用いるような場合には、当該紙種に対する印刷調整値を改めて設定する必要がなく、便利である。
【手続補正３２】
【補正対象書類名】明細書
【補正対象項目名】００９５
【補正方法】変更
【補正の内容】
【００９５】
請求項２２の発明によれば、調整値群の名称が基本操作画面中に表示されるので、どの記録媒体供給トレイに対し現在どのような調整値群が設定されているのかが容易且つ迅速に確認することができる。
【手続補正３３】
【補正対象書類名】明細書
【補正対象項目名】００９６
【補正方法】変更
【補正の内容】
【００９６】
請求項２３の発明によれば、現在設定されている調整値のうち少なくとも一つの調整値が変更されると、当該変更された調整値の名称を表示手段に表示しないよう制御する。このことにより、ユーザは調整値が変更されたことを容易に確認することが可能となり、適切な調整値の設定又は指定が非常に行いやすくなる等、調整値の取り扱いが極めて容易になる。
【手続補正３４】
【補正対象書類名】明細書
【補正対象項目名】００９７
【補正方法】変更
【補正の内容】
【００９７】
請求項２４、３１の発明によれば、記録媒体供給トレイ毎及び印刷用紙の表裏毎に、調整値群を入力することにより、調整標準値群に対する微調整が可能となるので、プリント処理毎に印刷調整値を一から入力し直すことなく様々な紙種に対して詳細な印刷調整が容易に行える。また、調整値群を用いた詳細な印刷調整が記録媒体供給トレイ毎にまとめて行えるので、印刷調整を効率的に行うことが可能であり、高品質な印刷画像を容易に得ることができる。
更に、記録媒体供給トレイ毎に調整値群が現在設定されているか否かが、基本操作の指示入力を行う基本操作画面から容易に確認できるので、その調整値群をクリアして新たに入力するか、或いは、その調整値群を用いるのかの判断が、記録媒体供給トレイ毎に容易且つ迅速に行える。これにより、使用する紙種が多い場合であっても、誤って別の紙種用に設定された調整値（例えば、直前のプリント処理で使用された印刷用紙の紙種に対する調整値）が用いられる等の事態が回避可能となる。
【手続補正３５】
【補正対象書類名】明細書
【補正対象項目名】００９８
【補正方法】変更
【補正の内容】
【００９８】
請求項２５の発明によれば、記録媒体供給トレイ毎に、現在有効な調整値群に含まれる全印刷調整項目の各調整値を一括してクリア（消去）できるので便利であり、また、調整標準値群が消去されずに保持されるので、サービスマンが調整標準値群を入力し直さなければならない、といった事態が回避可能となる。
【手続補正３６】
【補正対象書類名】明細書
【補正対象項目名】００９９
【補正方法】変更
【補正の内容】
【００９９】
請求項２６の発明によれば、現在有効な調整値群を、消去せずに保持したまま無効にできるので、調整標準値群のみ用いるようなユーザに対しても、調整値群の入力／消去をいちいち行うことなく対応可能となる。
【手続補正３７】
【補正対象書類名】明細書
【補正対象項目名】０１００
【補正方法】変更
【補正の内容】
【０１００】
請求項２７の発明によれば、サービスマンが印刷調整標準値群を再入力するような場合においても、現在有効な調整値群をいちいち無効にしたり、記憶部から消去したりする必要がなく、調整値群が自動的に無効に設定されるので、当該調整値群を保持したまま調整標準値群の再入力が行え、サービスマンの作業効率の向上が図れる。また、この再入力された調整標準値群に対し、記憶部に既に記憶されている調整値が適用されることとなる等、調整標準値群と調整値群とが各々独立に調整（入力）できるので、高い調整機能を有することとなる。
【手続補正３８】
【補正対象書類名】明細書
【補正対象項目名】０１０１
【補正方法】変更
【補正の内容】
【０１０１】
請求項２８の発明によれば、記憶部は、不揮発メモリであるため、電源を落としたとしても記憶内容を保持することができるので、効率のよい印刷調整が可能となる。